(57)【要約】【課題】ＩＥＥＥ１３９４（以下、１３９４とする）ネットワークが複数存在し、各１３９４ネットワーク間が１３９４以外のネットワークで接続されるネットワークにおいて、ある１３９４ネットワークでバスリセットによって各情報機器のノードＩＤが変化したり、トポロジー構成が変化したりしても、各１３９４ネットワーク間の通信を正しく行える手段を提供する。【解決手段】各１３９４ネットワークｎ間の通信は、通信端末２０を通して行う。通信端末２０ｉｓは、別のネットワークｎｏｓ上のＡＶ機器１０ｏｓをエミュレートする機能を持つ。また、自ネットワークｎｉｓでの各ＡＶ機器１０ｉｓのノードＩＤの変化やトポロジー構成の変化を感知し、別のネットワークｎｏｓの通信端末２０ｏｓに通知することで、各通信端末２０は，常に最新の情報で、別のネットワークｎのトポロジー構成を仮想的に実現する。これにより、外部のネットワークｎに存在するノード１０との通信を正しく行うことができる。【選択図】  図１
2004282501.tif 000002
【特許請求の範囲】
【請求項１】
所定の機器接続規格を備えた一又は複数の情報機器と当該所定の機器接続規格によるインタフェースを介して接続され、該一又は複数の情報機器とともに当該所定の機器接続規格による情報機器ネットワークを構成し、自身が属する該情報機器ネットワークを、当該所定の機器接続規格による別の情報機器ネットワークに接続するネットワーク間の通信端末であって、
前記別の情報機器ネットワーク上に存在する当該所定の機器接続規格を備えた一又は複数の情報機器を、前記自身が属する情報機器ネットワーク上にエミュレートするエミュレート手段
を備えていることを特徴とするネットワーク間の通信端末。
【請求項２】
前記通信端末は、
前記自身が属する情報機器ネットワークを識別する情報と、前記自身が属する情報機器ネットワークに接続されている情報機器の情報と、前記別の情報機器ネットワークに接続されている情報機器の情報とを記憶する記憶手段
を備えていることを特徴とする請求項１記載の通信端末。
【請求項３】
前記自身が属する情報機器ネットワークを識別する情報は、固有の識別ＩＤである
ことを特徴とする請求項２記載の通信端末。
【請求項４】
前記自身が属する情報機器ネットワークに接続されている情報機器の情報は、該情報機器の接続関係の情報である
ことを特徴とする請求項２記載の通信端末。
【請求項５】
前記自身が属する情報機器ネットワークに接続されている情報機器の情報は、該情報機器固有の識別子である
ことを特徴とする請求項２記載の通信端末。
【請求項６】
前記別の情報機器ネットワークに接続されている情報機器の情報は、
該情報機器固有の識別子である
ことを特徴とする請求項２記載の通信端末。
【請求項７】
前記通信端末は、
前記自身が属する情報機器ネットワークに接続されている情報機器の情報が変化した場合に、前記別の情報機器ネットワークに変化を伝える変化発信手段
を備えていることを特徴とする請求項２記載の通信端末。
【請求項８】
前記通信端末は、
前記別の情報機器ネットワークから当該別の情報機器ネットワークに接続されている情報機器の情報の変化を受信した場合に、前記自身が属する情報機器ネットワークにその変化を適応させる適応手段
を備えていることを特徴とする請求項２記載の通信端末。
【請求項９】
前記所定の機器接続規格はＩＥＥＥ１３９４であり、
前記通信端末は、ＩＥＥＥ１３９４によるインタフェースを介してＩＥＥＥ１３９４を備えた前記一又は複数の情報機器に接続され、該一又は複数の情報機器とともにＩＥＥＥ１３９４による情報機器ネットワークを構成する
ことを特徴とする請求項１〜８いずれかに記載の通信端末。
【請求項１０】
前記固有の識別ＩＤは、ＧＵＩＤである
ことを特徴とする請求項３記載の通信端末。
【請求項１１】
前記該情報機器の接続関係の情報は、トポロジー構成の情報である
ことを特徴とする請求項４記載の通信端末。
【請求項１２】
前記情報機器固有の識別子は、ノードＩＤである
ことを特徴とする請求項５又は６記載の通信端末。
【請求項１３】
前記情報機器固有の識別子は、ＣｏｎｆｉｇＲＯＭを用いる
ことを特徴とする請求項５又は６記載の通信端末。
【請求項１４】
前記変化発信手段は、
前記自身が属する情報機器ネットワークのトポロジー構成が変化せず、当該自身が属する情報機器ネットワークに接続されている情報機器のノードＩＤが変化した場合、当該ノードＩＤの変化情報を前記別の情報機器ネットワークに伝えることを特徴とする請求項７記載の通信端末。
【請求項１５】
前記適応手段は、
前記別の情報機器ネットワークから当該別の情報機器ネットワークに接続されている情報機器のノードＩＤの変化情報を受信した場合に、前記自身が属する情報機器ネットワークにその変化を適応させる
ことを特徴とする請求項８記載の通信端末。
【請求項１６】
前記変化発信手段は、
前記自身が属する情報機器ネットワークのトポロジー構成が変化した場合、当該自身が属する情報機器ネットワークに接続されている情報機器の情報を、前記別の情報機器ネットワークに伝える
ことを特徴とする請求項７記載の通信端末。
【請求項１７】
前記適応手段は、
前記別の情報機器ネットワークから当該別の情報機器ネットワークに接続されている情報機器の情報を受信した場合に、前記自身が属する情報機器ネットワークにその変化を適応させるためにバスリセットを発生させる
ことを特徴とする請求項８記載の通信端末。
【請求項１８】
前記通信端末は、
前記自身が属する情報機器ネットワークに接続されている情報機器の情報が変化した場合に、前記別の情報機器ネットワークに変化を伝える変化発信手段と、前記別の情報機器ネットワークから当該別の情報機器ネットワークに接続されている情報機器の情報の変化を受信した場合に、前記自身が属する情報機器にその変化を適応させる適応手段を備え、
該適応手段は、前記別の情報機器ネットワークからトポロジー構成の変化に基づく当該別の情報機器ネットワークに接続されている情報機器の情報を受信した場合に、前記自身が属する情報機器ネットワークにバスリセットを発生させるとともに、
該変化発信手段は、前記適応手段による前記自身が属する情報機器ネットワークに接続されている情報機器それぞれのノードＩＤの変化情報を、前記自身が属する情報機器ネットワークの前記バスリセット後のバスの安定を待ち、前記別の情報機器ネットワークに伝える
ことを特徴とする請求項２記載の通信端末。
【請求項１９】
所定の機器接続規格を備えた一又は複数の情報機器と、該一又は複数の情報機器に当該所定の機器接続規格のインタフェースを介して接続される通信端末とから構成される情報機器ネットワークを複数有し、該情報機器ネットワーク間の通信を該情報機器ネットワーク上それぞれの前記通信端末間の通信を介して行う複数のネットワーク間での機器管理方法であって、
前記情報機器ネットワーク上の通信端末それぞれが、別の前記情報機器ネットワーク上の前記一又は複数の情報機器を、自身が属する前記情報機器ネットワーク上にエミュレートする
ことを特徴とする複数のネットワーク間での機器管理方法。
【発明の詳細な説明】
【０００１】
【発明の属する技術分野】
本発明は、所定の機器接続規格で構成された複数のネットワーク間を接続するため、複数のネットワークそれぞれに設けられたネットワーク間の通信端末、及び複数のネットワーク間での機器管理方法に関する。
【０００２】
特に、本発明は、シリアルバスの規格ＩＥＥＥ１３９４（以下、１３９４と略称する）で構成されたネットワークが、イーサネット（Ｅｔｈｅｒｎｅｔ）や無線ＬＡＮ等といった、１３９４以外の規格・仕様によるネットワークで別の１３９４ネットワークに接続されている場合の、１３９４ネットワークそれぞれに設けられるネットワーク間の通信端末、及び複数の１３９４ネットワーク間での機器管理方法に関する。
【０００３】
【従来の技術】
近年、ＡＶ（Ａｕｄｉｏ  ＆  Ｖｉｓｕａｌ）機器間を接続するためのネットワークとして１３９４が注目を浴びており、既に、ＢＳ（Ｂｒｏａｄｃａｓｔｉｎｇ  Ｓａｔｅｌｌｉｔｅ）デジタルチューナー、Ｄ−ＶＨＳ（Ｄａｔａ−Ｖｉｄｅｏ  Ｈｏｍｅ  Ｓｙｓｔｅｍ）デッキ、ＤＶ（Ｄｉｇｉｔａｌ  Ｖｉｄｅｏ）カメラ等、様々な１３９４対応商品（情報機器）が発売されている。
また、イーサネットや無線ＬＡＮ等といった、１３９４以外のネットワークと１３９４ネットワークを融合して運営しようとする試みもされている。
【０００４】
従来技術として、無線インタフェースを有している１３９４機器を有線の１３９４バス上の１つの通信機器のサブユニットにエミュレート（ｅｍｕｌａｔｅ）する手法を提案した特開２０００−１５６６８３号公報記載の通信ノード及び通信端末がある。
【０００５】
また、無線上でＡＶ／Ｃコマンド（１３９４バス上で実行されることを想定したＡＶ／Ｃ（Ａｕｄｉｏ／Ｖｉｓｕａｌ  Ｃｏｎｔｒｏｌ）プロトコルによる、例えば、「再生」、「停止」、「早送り」等といったコマンド）を用いて機器を制御する技術を提案した特開２０００−１１５１７３号公報記載の無線端末及び無線ノードや、特開２０００−１９６６１８号公報記載の通信ノードがある。
【０００６】
ところで、１３９４ネットワークでは、各ノードにノードＩＤが割り当てられていて、非同期通信を行う際には、このノードＩＤを用いて、パケットの送信元のノード及び送信先のノードを指定する。
このノードＩＤはバスリセットによって、頻繁に変化する可能性がある。また、新たなノードがネットワークに参加したり、ネットワークから既存のノードが外されたりすることによって、トポロジー（ｔｏｐｏｌｏｇｙ）構成、すなわちネットワークの接続形態が変化する。
【０００７】
１３９４ネットワークが複数存在し、各１３９４ネットワーク間がイーサネットや無線ＬＡＮ等といった、１３９４以外の規格・仕様によるネットワークで接続されるネットワークにおいて、そのネットワーク全体を１つの１３９４ネットワークとみなそうとする場合、各１３９４ネットワークは、自身以外の別の１３９４ネットワーク（以下、外部の１３９４ネットワークと適宜称す）に接続された１３９４機器の情報を持たなければならない。この情報としては、その１３９４機器がどの外部の１３９４ネットワークに存在しているかという情報、その外部の１３９４ネットワークでの当該１３９４機器についてのノードＩＤの情報、ノード毎に規程のＩＥＥＥ１３９４アドレス空間に設けられているＣｏｎｆｉｇｒａｔｉｏｎＲＯＭ（以下、ＣｏｎｆｉｇＲＯＭと称す）の情報等が考えられる。これら情報をもとに、各１３９４ネットワークは外部の１３９４ネットワークのトポロジーを仮想的に実現し、１３９４以外の規格・仕様によるネットワークで相互に接続される１３９４ネットワーク全体を１つの１３９４ネットワークとして扱うことができる。
【０００８】
【特許文献１】
特開２０００−１５６６８３号公報
【特許文献２】
特開２０００−１１５１７３号公報
【特許文献３】
特開２０００−１９６６１８号公開
【０００９】
【発明が解決しようとする課題】
しかし、従来技術では、ある１３９４ネットワークでバスリセットによって各ノードのノードＩＤが変化したり、ノードの増減によってそのトポロジー構成が変化したりした場合、それらの変化を外部の１３９４ネットワークに伝える手段に関する定義が無いため、これらの変化が原因となり意図したノードとの通信が正しく行われない可能性がある。
【００１０】
本発明は、上述した問題点を鑑みなされたもので、１３９４ネットワークが複数存在し、各１３９４ネットワーク間がイーサネットや無線ＬＡＮ等といった、１３９４以外の規格・仕様によるネットワークで接続されるネットワーク全体において、そのネットワーク全体を１つの１３９４ネットワークとみなそうとした場合、ある１３９４ネットワークでノードＩＤの変化やトポロジー構成の変化が起こっても、その変化を外部の１３９４ネットワークに通知することによって、各１３９４ネットワークが、常に最新の情報により、外部の１３９４ネットワークにおけるトポロジー構成を仮想的に実現することを可能にしたものである。
【００１１】
すなわち、本発明は、所定の機器接続規格による複数の情報機器ネットワーク間の通信を、各情報機器ネットワーク上にそれぞれ存在し、自身が属する情報機器ネットワークを別の情報機器ネットワークに接続する通信端末の端末間の通信によって行うネットワーク全体において、各情報機器ネットワークで別の情報機器接続ネットワーク（すなわち、自身以外の外部の情報機器ネットワーク）のトポロジー構成を仮想的にそれぞれ実現することにより、別の情報機器接続ネットワーク（自身以外の外部の情報機器ネットワーク）上に存在する情報機器との通信を正しく行うことができる、ネットワーク間の通信端末、及び複数のネットワーク間での機器管理方法を提供することを目的とする。
【００１２】
【課題を解決するための手段】
上記目的を達成するために、本発明の、ネットワーク間の通信端末、及び複数のネットワーク間での機器管理方法は、次に述べる如くの構成となっている。
請求項１記載の発明は、所定の機器接続規格を備えた一又は複数の情報機器と当該所定の機器接続規格によるインタフェースを介して接続され、該一又は複数の情報機器とともに当該所定の機器接続規格による情報機器ネットワークを構成し、自身が属する該情報機器ネットワークを、当該所定の機器接続規格による別の情報機器ネットワークに接続するネットワーク間の通信端末であって、前記別の情報機器ネットワーク上に存在する当該所定の機器接続規格を備えた一又は複数の情報機器を、前記自身が属する情報機器ネットワーク上にエミュレートするエミュレート手段を備えていることを特徴とする。
【００１３】
請求項２記載の発明は、請求項１記載の通信端末において、前記自身が属する情報機器ネットワークを識別する情報と、前記自身が属する情報機器ネットワークに接続されている情報機器の情報と、前記別の情報機器ネットワークに接続されている情報機器の情報とを記憶する記憶手段を備えていることを特徴とする。
【００１４】
請求項３記載の発明は、請求項２記載の通信端末において、前記自身が属する情報機器ネットワークを識別する情報は、固有の識別ＩＤであることを特徴とする。
請求項４記載の発明は、請求項２記載の通信端末において、前記自身が属する情報機器ネットワークに接続されている情報機器の情報は、該情報機器の接続関係の情報であることを特徴とする。
請求項５記載の発明は、請求項２記載の通信端末において、前記自身が属する情報機器ネットワークに接続されている情報機器の情報は、該情報機器固有の識別子であることを特徴とする。
請求項６記載の発明は、請求項２記載の通信端末において、前記別の情報機器ネットワークに接続されている情報機器の情報は、該情報機器固有の識別子であることを特徴とする。
請求項７記載の発明は、請求項２記載の通信端末において、前記自身が属する情報機器ネットワークに接続されている情報機器の情報が変化した場合に、前記別の情報機器ネットワークに変化を伝える変化発信手段を備えていることを特徴とする。
請求項８記載の発明は、請求項２記載の通信端末において、前記別の情報機器ネットワークから当該別の情報機器ネットワークに接続されている情報機器の情報の変化を受信した場合に、前記自身が属する情報機器ネットワークにその変化を適応させる適応手段を備えていることを特徴とする。
【００１５】
請求項９記載の発明は、請求項１〜８いずれかに記載の通信端末において、前記所定の機器接続規格はＩＥＥＥ１３９４であり、前記通信端末は、ＩＥＥＥ１３９４によるインタフェースを介してＩＥＥＥ１３９４を備えた前記一又は複数の情報機器に接続され、該一又は複数の情報機器とともにＩＥＥＥ１３９４による情報機器ネットワークを構成することを特徴とする。
【００１６】
請求項１０記載の発明は、請求項３記載の通信端末において、前記固有の識別ＩＤは、ＧＵＩＤであることを特徴とする。
請求項１１記載の発明は、請求項４記載の通信端末において、前記該情報機器の接続関係の情報は、トポロジー構成の情報であることを特徴とする。
請求項１２記載の発明は、請求項５又は６記載の通信端末において、前記情報機器固有の識別子は、ノードＩＤであることを特徴とする。
請求項１３記載の発明は、請求項５又は６記載の通信端末において、前記情報機器固有の識別子は、ＣｏｎｆｉｇＲＯＭを用いることを特徴とする。
【００１７】
請求項１４記載の発明は、請求項７記載の通信端末において、前記変化発信手段は、前記自身が属する情報機器ネットワークのトポロジー構成が変化せず、前記自身が属する情報機器ネットワークに接続されている情報機器のノードＩＤが変化した場合、当該ノードＩＤの変化情報を前記別の情報機器ネットワークに伝えることを特徴とする。
【００１８】
請求項１５記載の発明は、請求項８記載の通信端末において、前記適応手段は、前記別の情報機器ネットワークから当該別の情報機器ネットワークに接続されている情報機器のノードＩＤの変化情報を受信した場合に、前記自身が属する情報機器ネットワークにその変化を適応させることを特徴とする。
【００１９】
請求項１６記載の発明は、請求項７記載の通信端末において、前記変化発信手段は、前記自身が属する情報機器ネットワークのトポロジー構成が変化した場合、当該自身が属する情報機器ネットワークに接続されている情報機器の情報を、前記別の情報機器ネットワークに伝えることを特徴とする。
【００２０】
請求項１７記載の発明は、請求項８記載の通信端末において、前記適応手段は、前記別の情報機器ネットワークから当該別の情報機器ネットワークに接続されている情報機器の情報を受信した場合に、前記自身が属する情報機器ネットワークのバスリセットを発生させ、前記自身が属する情報機器ネットワークにその変化を適応させることを特徴とする。
【００２１】
請求項１８記載の発明は、請求項２記載の通信端末において、前記自身が属する情報機器ネットワークに接続されている情報機器の情報が変化した場合に、前記別の情報機器ネットワークに変化を伝える変化発信手段と、前記別の情報機器ネットワークから当該別の情報機器ネットワークに接続されている情報機器の情報の変化を受信した場合に、前記自身が属する情報機器にその変化を適応させる適応手段とを備え、該適応手段は、前記別の情報機器ネットワークからトポロジー構成の変化に基づく当該別の情報機器ネットワークに接続されている情報機器の情報を受信した場合に、前記自身が属する情報機器ネットワークのバスリセットを発生させるとともに、該変化発信手段は、前記適応手段による前記自身が属する情報機器ネットワークに接続されている情報機器それぞれのノードＩＤの変化情報を、前記自身が属する情報機器ネットワークの前記バスリセット後のバスの安定を待ち、前記別の情報機器ネットワークに伝えることを特徴とする。
【００２２】
請求項１９記載の発明は、所定の機器接続規格を備えた一又は複数の情報機器と、該一又は複数の情報機器に当該所定の機器接続規格のインタフェースを介して接続される通信端末とから構成される情報機器ネットワークを複数有し、該情報機器ネットワーク間の通信を該情報機器ネットワーク上それぞれの前記通信端末間の通信を介して行う複数のネットワーク間での機器管理方法であって、前記情報機器ネットワーク上の通信端末それぞれが、別の前記情報機器ネットワーク上の前記一又は複数の情報機器を、自身が属する前記情報機器ネットワーク上にエミュレートすることを特徴とする。
【００２３】
【発明の実施の形態】
以下、添付図面を参照しながら本発明の好適な実施の形態について詳細に説明する。
図１は、本発明の一実施の形態によるネットワーク間の通信端末、及び複数のネットワーク間での機器管理方法を適用した、ネットワーク全体の一例の構成図である。
図１において、本実施例のネットワーク全体Ｎは、説明簡略化のため、複数の情報機器ネットワークｎとして、第１の１３９４ネットワークｎ１と第２の１３９４ネットワークｎ２とからなる、２つの情報機器ネットワークｎを備えているものとして説明する。
【００２４】
ここで、第１の１３９４ネットワークｎ１には、情報機器を構成する１３９４機器１０としての第１の１３９４機器１１ｎ１及び第２の１３９４機器１２ｎ１と、通信端末２０ｎ１とが、所定の機器接続規格の１３９４バス３０ｎ１によってシリアル接続されているものとする。
【００２５】
また、第２の１３９４ネットワークｎ２には、情報機器を構成する１３９４機器１０としての第３の１３９４機器１３ｎ２と、通信端末２０ｎ２とが、所定の機器接続規格としての１３９４バス３０ｎ２によってシリアル接続されているものとする。
【００２６】
一方、第１の１３９４ネットワークｎ１における通信端末２０ｎ１と、第２の１３９４ネットワークｎ２における通信端末２０ｎ２とは、本実施例においては、１３９４以外の規格・仕様による無線ネットワーク４０によって接続されているものとする。
【００２７】
以下では、図１に示したネットワーク全体Ｎを例に、本発明の一実施の形態によるネットワーク間の通信端末、及び複数のネットワーク間での機器管理方法について詳細に説明する。
【００２８】
図２は、前述した第１，第２の１３９４ネットワークそれぞれにおける通信端末の構成を示したブロック図である。
＋により、通信端末２０ｎ１，２０ｎ２の構成を説明するにあたっては、通信端末２０ｎ１，２０ｎ２それぞれの構成は同様なので、通信端末２０ｎ１，２０ｎ２の中のいずれか一方を通信端末２０ｉｓで表し、いずれか他方を通信端末２０ｏｓで表して、一方の通信端末２０ｉｓの構成についてのみ説明し、他方の通信端末２０ｏｓについてはその構成の説明を省略する。
一方の通信端末２０ｉｓは、無線Ｉ／Ｆ部２１、判定部２２、自ネットワーク情報管理部２３、外部ネットワーク情報管理部２４、エミュレーション部２５、及び１３９４Ｉ／Ｆ部２６を備えて構成されている。
【００２９】
無線Ｉ／Ｆ部２１は、無線伝送における基本機能を備え、無線伝送のプロトコルに従ったパケットを、図１に示した無線ネットワーク４０を介して、通信端末２０ｉｓ自身が属する１３９４ネットワークｎｉｓ（１３９４ネットワークｎ１，ｎ２の中のいずれか一方）とは別の１３９４ネットワークｎｏｓ（１３９４ネットワークｎ１，ｎ２の中のいずれか他方）の通信端末２０ｏｓの図示せぬ無線Ｉ／Ｆ部２１との間で、送受信する機能を備える。
【００３０】
１３９４Ｉ／Ｆ部２６は、１３９４通信における基本機能を備え、１３９４通信のプロトコルに従ったパケットを、通信端末２０ｉｓ自身が属する１３９４ネットワークｎｉｓの１３９４バス３０ｉｓ（１３９４バス３０ｎ１，３０ｎ２の中のいずれか一方）を介して接続された１３９４機器１０ｉｓ（第１，第２の１３９４機器１１ｎ１，１２ｎ１、又は第３の１３９４機器１３ｎ２の中のいずれか一方）との間で、送受信する機能を備える。
【００３１】
その上で、無線Ｉ／Ｆ部２１は、判定部２２及び外部ネットワーク情報管理部２４とそれぞれ接続され、１３９４Ｉ／Ｆ部２６は、自ネットワーク情報管理部２３及びエミュレーション部２５とそれぞれ接続されている。
【００３２】
自ネットワーク情報管理部２３は、１３９４Ｉ／Ｆ部２６を介して、１３９４バス３０ｉｓに接続されている、通信端末２０ｉｓ自身が属する１３９４ネットワークｎｉｓそれぞれの１３９４機器１０ｉｓの情報を読み取り、記録する。
また、自ネットワーク情報管理部２３は、通信端末２０ｉｓ自身が属する１３９４ネットワークｎｉｓの１３９４機器１０ｉｓの情報に変化があった場合、その情報を記録する。
【００３３】
なお、自ネットワーク情報管理部２３が、通信端末２０ｉｓ自身が属する１３９４ネットワークｎｉｓに接続された１３９４機器１０ｉｓの情報を読み取り、これを記録することによって管理する、その通信端末２０ｉｓ自身が属する情報機器ネットワークｎｉｓの自ネットワーク情報６０ｉｓについては、後に詳述する。
そして、自ネットワーク情報管理部２３は、１３９４Ｉ／Ｆ部２６に加え、判定部２２にも接続されている。
【００３４】
判定部２２は、自ネットワーク情報管理部２３に記録されている、通信端末２０ｉｓ自身が属する１３９４ネットワークｎｉｓに接続されている１３９４機器１０ｉｓの情報の変化や、トポロジー構成の変化を監視する。
【００３５】
そして、判定部２２は、これら変化を感知すると、自ネットワーク情報管理部２３より必要な自ネットワーク情報６０ｉｓを受け取り、無線Ｉ／Ｆ部２１を介して、通信端末２０ｉｓ自身が属する１３９４ネットワークｎｉｓ以外の、外部の１３９４ネットワークｎｏｓの通信端末２０ｏｓに、自ネットワーク変化情報８０ｉｓとして送信する。
【００３６】
このとき、判定部２２が、無線Ｉ／Ｆ部２１を介して、外部の１３９４ネットワークｎｏｓに伝送する、通信端末２０ｉｓ自身が属する情報機器ネットワークｎｉｓの自ネットワーク変化情報８０ｉｓについては、後で詳しく述べる。
【００３７】
外部ネットワーク情報管理部２４は、外部の１３９４ネットワークｎｏｓの通信端末２０ｏｓから、その通信端末２０ｏｓに図示せぬ１３９４バス３０ｏｓを介して接続されている１３９４機器１０ｏｓの機器情報が変化したという通知と、変化した後の機器情報とからなる、外部の情報機器ネットワークｎｏｓの自ネットワーク変化情報８０ｏｓを無線Ｉ／Ｆ部２１を介して受け取ると、その情報８０ｏｓに基づき外部ネットワーク情報７０ｉｓを更新記録する。
【００３８】
また、この外部ネットワーク情報管理部２４には、エミュレーション部２５が接続されている。
外部ネットワーク情報管理部２４は、外部の１３９４ネットワークｎｏｓの通信端末２０ｏｓに１３９４バス３０ｏｓで接続されている１３９４機器１０ｏｓに関して記録している情報、すなわち外部ネットワーク情報７０ｉｓが更新されると、その情報をエミュレーション部２５に伝える。
なお、このとき、外部ネットワーク情報管理部２４がエミュレーション部２５に伝える情報７０ｉｓについては、後で詳しく述べる。
【００３９】
エミュレーション部２５は、外部ネットワーク情報管理部２４に記録されている外部ネットワーク情報７０ｉｓをもとに、外部の１３９４ネットワークｎｏｓの通信端末２０ｏｓに１３９４バス３０ｏｓで接続されている１３９４機器１０ｏｓを、仮想的に通信端末２０ｉｓ自身が属する１３９４ネットワークｎｉｓに接続された１３９４機器１０ｉｓとして取り扱われるように、エミュレートする機能を持つ。
【００４０】
その際、通信端末２０ｉｓ自身が属するネットワークｎｉｓに接続されている１３９４機器１０ｉｓとの通信は、１３９４Ｉ／Ｆ部２６を介して行う。このエミュレーション部２５が１３９４機器１０ｏｓをエミュレートする手順については、後で詳しく述べる。
【００４１】
図３は、通信端末の自ネットワーク情報管理部が管理する自ネットワーク情報を示したものである。
通信端末２０ｉｓ自身が属する情報機器ネットワークｎｉｓの自ネットワーク情報６０ｉｓは、通信端末２０ｉｓ自身が属する１３９４ネットワークｎｉｓを外部の１３９４ネットワークｎｏｓと区別するために用いるネットワークＩＤ６１ｉｓ、通信端末２０ｉｓ自身が属する１３９４ネットワークｎｉｓのトポロジー構成の情報６２ｉｓ、通信端末２０ｉｓ自身が属するネットワークｎｉｓに１３９４バス３０ｉｓで接続されている１３９４機器１０ｉｓの情報６３ｉｓとから構成される。
【００４２】
図３では、図１に示したネットワーク全体Ｎにおいて、第１の１３９４ネットワークｎ１の通信端末２０ｎ１に備えられた自ネットワーク情報管理部２３が管理する自ネットワーク情報６０ｎ１を例に挙げ、説明する。
【００４３】
この場合、自ネットワーク情報６０ｎ１は、通信端末２０ｎ１自身が属する第１の１３９４ネットワークｎ１を外部の第２の１３９４ネットワークｎ２と区別するために用いるネットワークＩＤ６１ｎ１、通信端末２０ｎ１自身が属する第１の１３９４ネットワークｎ１のトポロジー構成の情報６２ｎ１、及び通信端末２０ｎ１自身が属する第１の１３９４ネットワークｎ１に１３９４バス３０ｎ１で接続されている１３９４機器１０の情報６３ｎ１で構成される。
【００４４】
そして、図１に示したネットワーク全体Ｎの場合、この機器情報６３ｎ１は、第１の１３９４機器１１ｎ１の情報６３ｎ１−１、及び第２の１３９４機器１２ｎ１の情報６３ｎ１−２からなる個別機器情報６３ｎ１−ｍ（ここで、ｍは接続されている機器の番号を表しているものとする）で構成される。
【００４５】
個別機器情報６３ｎ１−ｍ（６３ｎ１−１，６３ｎ１−２）は、通信端末２０ｎ１自身が属する１３９４ネットワークｎ１内でのノードＩＤを表す“実ノードＩＤ”６３ｎ１−ｍ１（６３ｎ１−１１，６３ｎ１−２１）、この“実ノードＩＤ”  ６３ｎ１−ｍ１（６３ｎ１−１１，６３ｎ１−２１）が変化する以前の“実ノードＩＤ”を表す“前の実ノードＩＤ”６３ｎ１−ｍ２（６３ｎ１−１２，６３ｎ１−２２）、“ＣｏｎｆｉｇＲＯＭ”６３ｎ１−ｍ３（６３ｎ１−１３，６３ｎ１−２３）からなる。
【００４６】
次に、自ネットワーク情報６０ｉｓの各情報６１ｉｓ〜６３ｉｓに関する更新のタイミングについて、図１に示した第１の１３９４ネットワークｎ１の自ネットワーク情報６０ｎ１（すなわち、各情報６１ｎ１〜６３ｎ１）を例に説明する。
【００４７】
トポロジー構成の情報６２ｎ１は、自身の属する１３９４ネットワークｎ１に新たな１３９４機器１０ｉｓ（例えば、図示せぬ第４の１３９４機器１４ｎ１）が追加されたり、自身の属する１３９４ネットワークｎ１から既存の１３９４機器１０ｉｓ（例えば、図示せぬ第４の１３９４機器１４ｎ１）が外されたりすること等により、その第１の１３９４ネットワークｎ１内のトポロジー構成が変化したときに一旦破棄される。その後、自身の第１の１３９４ネットワークｎ１内の全ノード（例えば、第１，第２の１３９４機器１１ｎ１，１２ｎ１）の情報が取得され、その情報をもとに更新される。
【００４８】
また、機器情報６３ｎ１が変化したとき、例えばバスリセット等によって第１，第２の１３９４機器１１ｎ１，１２ｎ１のノードＩＤが変化したときには、１３９４機器１１ｎ１，１２ｎ１の“実ノードＩＤ”６３ｎ１−１１，６３ｎ１−２１の情報を、“前の実ノードＩＤ”６３ｎ１−１２，６３ｎ１−２２にコピーし、その後新たに決定したノードＩＤを、“実ノードＩＤ”６３ｎ１−１１，６３ｎ１−２１の情報として格納する。
【００４９】
また、“ＣｏｎｆｉｇＲＯＭ”６３ｎ１−１３，６３ｎ１−２３は、第１，第２の１３９４機器１１ｎ１，１２ｎ１のＣｏｎｆｉｇＲＯＭが更新された場合に合わせて更新される。なお、ネットワークＩＤ６１ｎ１には、通信端末の“ＭＡＣ（Ｍｅｄｉａ  Ａｃｃｅｓｓ  Ｃｏｎｔｒｏｌ）ＩＤ”等を使用するが、これは第１の１３９４ネットワークｎ１の状態によって変化しない。
【００５０】
図４は、通信端末の外部ネットワーク情報管理部が管理する外部ネットワーク情報を示したものである。
外部ネットワーク情報７０ｉｓは、通信端末２０ｉｓ自身が属する１３９４ネットワークｎｉｓに対する外部の１３９４ネットワークｎｏｓに１３９４バス３０ｏｓで接続されている１３９４機器１０ｏｓそれぞれについて、外部の１３９４ネットワークｎｏｓがその自ネットワーク情報６０ｏｓをもとに送信してくる自ネットワーク変化情報８０ｏｓに基づき、外部ネットワーク情報管理部２４により生成される。
【００５１】
外部ネットワーク情報７０ｉｓは、外部の１３９４ネットワークｎｏｓに接続されている１３９４機器１０ｏｓそれぞれを、通信端末２０ｉｓ自身が属する１３９４ネットワークｎｉｓに仮想的に接続された１３９４機器（仮想ノード）１０ｉｓとしてエミュレートするための機器情報７１ｉｓ−ｍ（ｍは、外部の１３９４ネットワークｎｏｓにおける１３９４機器の番号）により構成されている。
【００５２】
図４では、図１に示したネットワーク全体Ｎにおいて、第１の１３９４ネットワークｎ１の通信端末２０ｎ１に備えられた外部ネットワーク情報管理部２４が管理する外部ネットワーク情報７０ｎ１の機器情報７１ｎ１−ｍを例に挙げ、これについて説明する。
【００５３】
図１に示したネットワーク全体Ｎの場合、通信端末２０ｎ１自身が属する第１の１３９４ネットワークｎ１に対する外部の１３９４ネットワークｎｏｓは、第２の１３９４ネットワークｎ２だけで、かつその第２の１３９４ネットワークｎ２に接続されている１３９４機器１０ｉｓも第３の１３９４機器１３ｎ２だけなので、外部ネットワーク情報７０ｎ１の機器情報７１ｎ１−ｍは、機器情報７１ｎ１−３から構成されている。
【００５４】
この場合の外部ネットワーク情報７０ｎ１の機器情報７１ｎ１−３は、第２の１３９４ネットワークｎ２の自ネットワーク情報６０ｎ２における、ネットワークＩＤ６１ｎ２、及び通信端末２０ｎ２に１３９４バス３０ｎ２で接続されている第３の１３９４機器１３ｎ２の機器情報６３ｎ２−３をもとにして構成されている。
【００５５】
機器情報７１ｎ１−３は、通信端末２０ｎ１自身が属する第１の１３９４ネットワークｎ１で、第２の１３９４ネットワークｎ２の第３の１３９４機器１３ｎ２が第１の１３９４ネットワークｎ１において第３の１３９４機器１３ｎ１として仮想的にエミュレートされる場合の仮想ノードとしてのノードＩＤを表す“仮想ノードＩＤ”７１ｎ１−３１、通信端末２０ｎ１自身が属する第１の１３９４ネットワークｎ１対して外部にある第３の１３９４機器１３ｎ２が存在する第２の１３９４ネットワークｎ２のネットワークＩＤを表す“所在ネットワークＩＤ”７１ｎ１−３２、その第２の１３９４ネットワークｎ２でのノードＩＤ６３ｎ２−３１を表す“実ノードＩＤ”７１ｎ１−３３、同じくＣｏｎｆｉｇＲＯＭ６３ｎ２−３３を表す“ＣｏｎｆｉｇＲＯＭ”７１ｎ１−３４からなる。
【００５６】
次に、外部ネットワーク情報７０ｉｓの各機器情報７１ｉｓ−ｍに関する更新のタイミングについて、外部ネットワーク情報７０ｎ１を例に説明する。
外部の１３９４ネットワークｎｏｓとしての第２の１３９４ネットワークｎ２で発生したバスリセット等によって、第２の１３９４ネットワークｎ２内の第３の１３９４機器１３ｎ２の“実ノードＩＤ”６３ｎ２−３１が変化したときには、第２の１３９４ネットワークｎ２における通信端末２０ｎ２によって、新しい“実ノードＩＤ”６３ｎ２−３１が、第１の１３９４ネットワークｎ１における第１の通信端末２０ｎ１に、自ネットワーク変化情報８０ｎ２として通知される。
【００５７】
この自ネットワーク変化情報８０ｎ２として通知された、第３の１３９４機器１３ｎ２に関する第２の１３９４ネットワークｎ２での新しい“実ノードＩＤ”６３ｎ２−３１により、第１の１３９４ネットワークｎ１の通信端末２０ｎ１は、その外部ネットワーク情報管理部２４により、自身の外部ネットワーク情報７０ｎ１の第３の１３９４機器１３の“実ノードＩＤ”７１ｎ１−３３が更新される。
【００５８】
また、第１の１３９４ネットワークｎ１の通信端末２０ｎ１の外部ネットワーク情報管理部２４による外部ネットワーク情報７０ｎ１の“ＣｏｎｆｉｇＲＯＭ”７１ｎ１−３４は、外部の１３９４ネットワークｎｏｓとしての第２の１３９４ネットワークｎ２における第３の１３９４機器１３ｎ２の“ＣｏｎｆｉｇＲＯＭ”６３ｎ２−３３が更新された場合に、第２の１３９４ネットワークｎ２の通信端末２０ｎ２によって、その変化が第１の１３９４ネットワークｎ１の通信端末２０ｎ１に自ネットワーク変化情報８０ｎ２として通知され、同様にして更新される。
【００５９】
図５は、通信端末によって外部ネットワークのノードをエミュレートする手法の一例を示した図である。
図５は、図１に示したネットワーク全体Ｎにおける第１の１３９４ネットワークｎ１の通信端末２０ｎ１、第２の１３９４ネットワークｎ２の通信端末２０ｎ２によって互いに相手方のネットワークのノードをエミュレートする手法の一例を示したものである。
【００６０】
図５では、第１の１３９４ネットワークｎ１の通信端末２０ｎ１において、
2004282501.tif 000003
を持つ場合、通信端末２０ｎ１，２０ｎ２が外部ネットワークｎ２，ｎ１のノード１３ｎ２，１１ｎ１〜１２ｎ１をエミュレートする場合の例を示したものである。
【００６１】
通信端末２０ｎ１は、外部ネットワーク情報管理部２４の外部ネットワーク情報７０ｎ１に基づいて、第２の１３９４ネットワークｎ２に存在する第３の１３９４機器１３ｎ２を、第１の１３９４ネットワークｎ１に“仮想ノードＩＤ”７１ｎ１−３１が“２”からなる仮想ノード１０ｎ１’としてエミュレートする。
【００６２】
ここで仮想ノード１０ｎ１’は、通信端末２０ｉｓが外部の１３９４ネットワークｎｏｓに存在するノード１０ｏｓを、通信端末２０ｉｓ自身が属する１３９４ネットワークｎｉｓ上で仮想的に実現するノード１０ｉｓ’のことである。本実施例の場合では、外部の１３９４ネットワークｎ２に存在するノード（第３の１３９４機器）１３ｎ２を、通信端末２０ｎ１自身が属する１３９４ネットワークｎ１上で、実在するノード（第１，第２の１３９４機器）１１ｎ１，１２ｎ１に加えて、第３の１３９４機器１３ｎ１として仮想的に実現するものである。
【００６３】
これに対して実ノード１０ｎ１とは、第１の１３９４ネットワークｎ１に存在している第１の１３９４機器１１ｎ１や第２の１３９４機器１２ｎ１等の、自身の１３９４ネットワークｎ１上で実際に存在するノード１０ｉｓのことである。
【００６４】
仮想ノード１３ｎ１は、外部ネットワーク情報管理部２４の“仮想ノードＩＤ”７１ｎ１−３１の“２”をノードＩＤとする実ノードとして、通信端末２０ｎ１自身が属する１３９４ネットワークｎ１で振舞う。
【００６５】
同様に、第２の通信端末２０ｎ２は、外部ネットワーク情報管理部２４の外部ネットワーク情報７０ｎ２に基づいて、第１の１３９４ネットワークｎ１に存在する第１の１３９４機器１１ｎ１と第２の１３９４機器１２ｎ１とを、実在するノード（第３の１３９４機器）１３ｎ２に加えて、第２の１３９４ネットワークｎ２に“仮想ノードＩＤ”７１ｎ１−１１，  ７１ｎ２−２１が“１”，“２”からなる仮想ノード（第１，第２の１３９４機器）１１ｎ２，１２ｎ２としてエミュレートする。
【００６６】
図６は、ノードＩＤ対応表の一例を示した図である。
図６は、ある１３９４ネットワークｎｉｓでバスリセットが発生し、ネットワーク内の各ノード１０ｉｓのノードＩＤ６３ｉｓ−ｍが変化した場合、ノードＩＤ６３ｉｓ−ｍがどのように変化したかを記述するノードＩＤ対応表８１ｉｓを示したもので、図１に示したネットワーク全体Ｎにおける第１の１３９４ネットワークｎ１の場合を例に示したものである。
【００６７】
図６のノードＩＤ対応表８１ｎ１では、第１の１３９４ネットワークｎ１で、当初、第１の１３９４機器１１ｎ１の“ノードＩＤ”６３ｎ１−１１が“０”、第２の１３９４機器１２ｎ１のノードＩＤ６３ｎ１−２１が“１”に設定されていたとする。このとき、バスリセットが発生して、第１の１３９４機器１１ｎ１のノードＩＤ６３ｎ１−１１が“１”、第２の１３９４機器１２ｎ１のノードＩＤ６３ｎ１−２１が“２”に変化した場合の例を示している。
【００６８】
図７は、ノードＩＤの変化を外部ネットワークに伝える処理のシーケンス図である。
図７は、ある１３９４ネットワークｎｉｓでバスリセットが発生し、各ノード１０ｉｓのノードＩＤ６３ｉｓ−ｍ１が変化した場合、その変化を外部の１３９４ネットワークｎｏｓに通知し、反映させる手段の一例を示している。
図７では、第１の１３９４ネットワークｎ１でバスリセットが発生した例を示している。
【００６９】
第１の１３９４ネットワークｎ１でバスリセットが発生すると（ステップＳ００１）、第１の１３９４ネットワークｎ１の通信端末２０ｎ１は、自ネットワーク情報管理部２３が、トポロジー構成が変化しているか否かを調べるトポロジー監視処理を行う（ステップＳ００２）。
【００７０】
そして、第１の１３９４ネットワークｎ１の通信端末２０ｎ１は、第１の１３９４ネットワークｎ１のトポロジー構成が変化していなければ以下の処理を行う。なお、トポロジー構成が変化する場合については、後述の図８及び図９により説明する。
【００７１】
ステップＳ００２のトポロジー監視処理でトポロジー構成が変化していない場合は、第１の１３９４ネットワークｎ１の通信端末２０ｎ１は、自ネットワーク情報管理部２３が、１３９４Ｉ／Ｆ部２６を介して、各ノード１０ｎ１のＣｏｎｆｉｇＲＯＭからＧＵＩＤ（Ｇｌｏｂａｌｌｙ  Ｕｎｉｑｕｅ  Ｉｄｅｎｔｉｆｉｅｒ）を読み出し（ステップＳ００３，Ｓ００４）、自ネットワーク情報管理部２３に記録されているトポロジーの情報６２ｎ１と照らし合わせて、各ノード１０ｎ１のノードＩＤを特定する。
この例の場合、各ノード１０ｎ１のノードＩＤとして、第１の１３９４機器１１ｎ１と第２の１３９４機器１２ｎ１のノードＩＤを特定する。
【００７２】
次に、第１の１３９４ネットワークｎ１の通信端末２０ｎ１は、自ネットワーク情報管理部２３が、その自ネットワーク情報６０ｎ１における各１３９４機器１１ｎ１，１２ｎ１の“実ノードＩＤ”６３ｎ１−１１，６３ｎ１−２１の情報と“前の実ノードＩＤ”６３ｎ１−１２，６３ｎ１−２２の情報とを更新する（ステップＳ００５）。
【００７３】
その際、第１の１３９４ネットワークｎ１の通信端末２０ｎ１の判定部２２は、これら自ネットワーク情報６０ｎ１の更新による変化を感知し、その更新した情報をもとに、図６に示したノードＩＤ対応表８１ｎ１を作成する（ステップＳ００６）。
【００７４】
次に、第１の１３９４ネットワークｎ１の通信端末２０ｎ１では、判定部２２が、この作成したノードＩＤ対応表８１ｎ１を自ネットワーク変化情報８０ｎ１として、第２の１３９４ネットワークｎ２の通信端末２０ｎ２に無線Ｉ／Ｆ部２１を介して送信する（ステップＳ００７）。
【００７５】
これに対し、第２の１３９４ネットワークｎ２の通信端末２０ｎ２は、外部ネットワーク情報管理部２４が、その無線Ｉ／Ｆ部２１を介して受信したこのノードＩＤ対応表８１ｎ１をもとに、外部ネットワーク情報７０ｎ２の機器情報７１ｎ２−１，７１ｎ２−２における“実ノードＩＤ”  ７１ｎ１−１３，７１ｎ２−２３を書き換える（ステップＳ００８）。
【００７６】
図８，図９は、トポロジー構成の変化を外部ネットワークに伝える処理のシーケンス図である。
図８，図９は、ある１３９４ネットワークｎｉｓで、ネットワークを構成するある１３９４機器１０ｉｓがネットワークから外されてトポロジー構成が変化した状況でバスリセットが発生し、その変化を外部の１３９４ネットワークｎｏｓに通知し、反映させる手段の一例を示したものである。
図８，図９では、第１の１３９４ネットワークｎ１で第２の１３９４機器１２ｎ１が外された例を示している。
【００７７】
第２の１３９４機器１２ｎ１が第１の１３９４ネットワークｎ１から外されると（図８、ステップＳ１０１）、バスリセットが発生する（ステップＳ１０２）。第１の１３９４ネットワークｎ１の通信端末２０ｎ１では、自ネットワーク情報管理部２０３が、トポロジー構成が変化しているか否かを調べるトポロジー監視処理を行う（ステップＳ１０３）。なお、ここでステップＳ１０２，  Ｓ１０３は、図７におけるステップＳ００１，  Ｓ００２で示した処理と同じである。
【００７８】
そして、第１の１３９４ネットワークｎ１の通信端末２０ｎ１は、ステップＳ１０３のトポロジー監視処理でトポロジー構成の変化を感知すると、自ネットワーク情報管理部２３がその自ネットワーク情報６０ｎ１における機器情報６３ｎ１（すなわち、機器情報６３ｎ１−１，６３ｎ１−２）を破棄した後（ステップＳ１０４）、第１の１３９４ネットワークｎ１内の全ノード１０ｎ１の機器情報６３ｎ１を１３９４Ｉ／Ｆ部２６を介して読み取り、取得する（ステップＳ１０５）。この場合では、第１の１３９４機器１１ｎ１の機器情報６３ｎ１−１が１３９４Ｉ／Ｆ部２６を介して読み取られ、取得される。
【００７９】
自ネットワーク情報管理部２３は、この取得した第１の１３９４機器１１ｎ１の機器情報６３ｎ１−１に基づき、その実ノードＩＤと、ＣｏｎｆｉｇＲＯＭから読み出したＧＵＩＤを、新たな自ネットワーク情報６０ｎ１の機器情報６３ｎ１−１における“実ノードＩＤ”６３ｎ１−１１，“ＣｏｎｆｉｇＲＯＭ”  ６３ｎ１−１３に書き込む（ステップＳ１０６）。
【００８０】
通信端末２０ｎ１の自ネットワーク情報管理部２３は、この新たに取得した全ノード１０ｎ１の機器情報６３ｎ１をもとに、自ネットワーク情報６０ｎ１におけるトポロジー構成の情報６２ｎ１を更新し（ステップＳ１０７）、図３に示した自ネットワーク情報６０ｎ１の更新を行う（図９、ステップＳ１０８）。
【００８１】
その上で、第１の１３９４ネットワークｎ１の通信端末２０ｎ１は、その判定部２２がこれら自ネットワーク情報６０ｎ１の更新による変化を感知し、自ネットワーク情報管理部２３より更新された自ネットワーク情報６０ｉｓを受け取り、無線Ｉ／Ｆ部２１を介して、外部の１３９４ネットワークｎｏｓの通信端末２０ｏｓである第２の１３９４ネットワークｎ２の通信端末２０ｎ２に、自ネットワーク変化情報８０ｎ１として送信する（ステップＳ１０９）。
【００８２】
これに対し、第２の１３９４ネットワークｎ２の通信端末２０ｎ２は、この自ネットワーク変化情報８０ｎ１がその無線Ｉ／Ｆ部２１を介して受信され、外部ネットワーク情報管理部２４によって取得されると、エミュレーション部２５が、第１の１３９４ネットワークｎ１の第１の１３９４機器１１ｎ１を、第２の１３９４ネットワークｎ２における仮想ノード１０ｎ２’として、すなわちこの場合は第２の１３９４ネットワークｎ２における第１の１３９４機器１１ｎ２としてエミュレートする（ステップＳ１１０）。
【００８３】
通信端末２０ｎ２のエミュレーション部２５は、この仮想ノード１０ｎ２’（すなわち、第１の１３９４機器１１ｎ１）を、第２の１３９４ネットワークｎ２に第１の１３９４機器１１ｎ２として追加するために、第２の１３９４ネットワークｎ２のバスリセットを発生させる（ステップＳ１１１）。なお、このバスリセットに対して通信端末２０ｎ２はトポロジーの監視は行わない。
【００８４】
次に、自ネットワーク情報管理部２３は、１３９４Ｉ／Ｆ部２６を介して、各ノード１０ｎ２、すなわち第２の１３９４ネットワークｎ２に接続されている第３の１３９４機器１３ｎ２のＣｏｎｆｉｇＲＯＭからＧＵＩＤ（Ｇｌｏｂａｌｌｙ  Ｕｎｉｑｕｅ  Ｉｄｅｎｔｉｆｉｅｒ）を読み出す（ステップＳ１１２）。
【００８５】
その上で、通信端末２０ｎ２の自ネットワーク情報管理部２３は、自ネットワーク情報管理部２３に記録されているトポロジーの情報６２ｎ２と照らし合わせて、各ノード１０ｎ２のノードＩＤを特定する。この場合、自ネットワーク情報管理部２３は、第３の１３９４機器１３ｎ２のノードＩＤを特定することになる。
【００８６】
次に、第２の１３９４ネットワークｎ２の通信端末２０ｎ２は、自ネットワーク情報管理部２３が、その自ネットワーク情報６０ｎ２における第３の１３９４機器１３ｎ２の“実ノードＩＤ”６３ｎ２−３１と“前の実ノードＩＤ”６３ｎ２−３２を更新する（ステップＳ１１３）。
【００８７】
その際、第２の１３９４ネットワークｎ２の通信端末２０ｎ２の判定部２２は、これら自ネットワーク情報６０ｎ２の更新による変化を感知し、その更新した情報をもとに、図６に示したようなノードＩＤ対応表８１ｎ２を作成する（ステップＳ１１４）。
【００８８】
そして、通信端末２０ｎ２の判定部２２は、この作成したノードＩＤ対応表８１ｎ２を自ネットワーク変化情報８０ｎ２として、外部の１３９４ネットワークｎｏｓの通信端末２０ｏｓである第１の１３９４ネットワークｎ１の通信端末２０ｎ１に、無線Ｉ／Ｆ部２１を介して送信する（ステップＳ１１５）。
【００８９】
第１の１３９４ネットワークｎ１の通信端末２０ｎ１では、このノードＩＤ対応表８１ｎ２を、外部ネットワーク情報管理部２４が外部ネットワーク情報７０ｎ１の機器情報７１ｎ１−１における“実ノードＩＤ”  ７１ｎ１−１３を書き換える（ステップＳ１１６）。
【００９０】
以上のように、本実施の形態による、ネットワークｎ間の通信端末２０、及び複数のネットワークｎ間での機器管理方法によれば、通信端末２０は、自身が属する１３９４ネットワーク（自ネットワーク）ｎの１３９４機器１０の情報に変化があった場合には、自ネットワーク情報管理部２３がこれを記録し、判定部２２が、この自ネットワーク情報管理部２３によって管理された自ネットワーク情報６０から、自ネットワークｎ内における１３９４機器１０の情報変化や、トポロジー構成の変化を感知すると、無線Ｉ／Ｆ部２１を介して、外部の１３９４ネットワーク（外部ネットワーク）ｎの通信端末２０に、自ネットワーク変化情報８０を送信する。
【００９１】
その一方で、通信端末２０は、無線Ｉ／Ｆ部２１を介して、外部ネットワークｎからの自ネットワーク変化情報８０を受信すると、外部ネットワーク情報管理部２４が外部ネットワーク情報７０を更新する一方、その外部ネットワークｎにトポロジー構成の変化がある場合には、エミュレーション部２５が外部ネットワークｎの１３９４機器１０を自ネットワークｎにエミュレートし、バスリセットを発生させた上で、自ネットワーク情報管理部２３が自ネットワーク情報６０を更新する。
【００９２】
このような、上述したネットワークｎ間の通信端末２０、及び複数のネットワークｎ間での機器管理方法によれば、外部ネットワークｎのノードを、自ネットワークｎに仮想的に実現することができる。また、自ネットワークｎで各機器１０のノードＩＤの変化やトポロジー構成の変化が起こっても、その変化が外部ネットワークｎに通知され、ネットワークｎは常に最新の情報で、別のネットワークｎのトポロジー構成を仮想的に実現できる。この結果、外部のネットワークｎに存在するノードとの通信を正しく行うことができる。
【００９３】
なお、本発明は上記実施の形態に限定されるものではない。
例えば、バスリセットに基づき、自ネットワーク情報管理部２３が自ネットワーク情報６０を更新するに当たっては、前述のステップＳ００１，Ｓ１０２，及びＳ１１１によるバスリセットの後に、一定時間バスの安定化を待つ構成を採用することによって、通信端末２０がそのバスが安定しないうちにノードＩＤ対応表を送り、直後に起こる別のバスリセットによって再びノードＩＤ対応表を送りなおさねばならない問題を回避することもができる。
【００９４】
【発明の効果】
以上のように、本発明のネットワーク間の通信端末及び複数のネットワーク間での機器管理方法によれば、外部ネットワークのノードを、自ネットワークに仮想的に実現することができる。また、自ネットワークで、各機器のノードＩＤの変化やトポロジー構成の変化が起こっても、その変化が外部ネットワークに通知され、各ネットワークは常に最新の情報で、別のネットワークのトポロジー構成を仮想的に実現できる。この結果、外部のネットワークに存在するノードとの通信を正しく行うことができる。
【００９５】
以下に、それぞれの発明による効果を示す。
請求項１又は１９記載の発明により、情報機器（例えばＡＶ機器）は、通信端末を介して、別のネットワーク上の情報機器（例えばＡＶ機器）と通信することができる。
請求項２記載の発明により、通信端末は別のネットワーク上の情報機器と通信するために必要な情報を記憶することができる。
請求項３記載の発明により、通信端末は各ネットワークを識別することができる。
請求項４記載の発明により、通信端末は機器接続関係の情報の変化を感知することができる。
請求項５記載の発明により、通信端末は自ネットワークに接続されている任意の情報機器を別の情報機器と区別することができる。
【００９６】
請求項６記載の発明により、通信端末は外部ネットワークに接続されている任意の情報機器を別の情報機器と区別することができる。
請求項７記載の発明により、自ネットワークに接続されている情報機器の情報の変化を外部ネットワークの通信端末に伝えることができる。
請求項８記載の発明により、外部ネットワークに接続されている情報機器の情報の変化を自ネットワークに適応させることができる。
請求項９記載の発明により、上記ネットワークを簡易な配線で実現できる。
請求項１０記載の発明により、１３９４ネットワークで通信端末は各ネットワークを識別することができる。
【００９７】
請求項１１記載の発明により、１３９４ネットワークで通信端末はトポロジーの変化を感知することができる。
請求項１２記載の発明により、通信端末は自１３９４ネットワークに接続されている任意の情報機器を別の情報機器と区別することができる。
請求項１３記載の発明により、通信端末は情報機器の情報を管理することができる。
請求項１４記載の発明により、任意の１３９４ネットワークでの各情報機器のノードＩＤの変化を別の１３９４ネットワークに伝えることができる。
請求項１５記載の発明により、１３９４ネットワークで各情報機器のノードＩＤが変化しても、情報機器は通信端末を介して別のネットワーク上の意図した情報機器と通信することができる。
【００９８】
請求項１６記載の発明により、任意の１３９４ネットワークでのトポロジー構成の変化を別の１３９４ネットワークに伝えることができる。
請求項１７記載の発明により、１３９４ネットワークでトポロジー構成が変化しても、情報機器は通信端末を介して別のネットワーク上の意図した情報機器と通信することができる。
請求項１８記載の発明により、１３９４ネットワークでトポロジー構成が変化しても、バスが安定するまでの間、通信端末が何度もノードＩＤ対応表を送信することなく、情報機器は通信端末を介して別のネットワーク上の意図した情報機器と通信することができる。
【図面の簡単な説明】
【図１】本発明の一実施の形態によるネットワーク間の通信端末、及び複数のネットワーク間での機器管理方法を適用した、ネットワーク全体の一例の構成図である。
【図２】図１に示した第１，第２の１３９４ネットワークそれぞれにおける通信端末の構成を示したブロック図である。
【図３】通信端末の自ネットワーク情報管理部が管理する自ネットワーク情報を示したものである。
【図４】通信端末の外部ネットワーク情報管理部が管理する外部ネットワーク情報を示したものである。
【図５】通信端末によって外部ネットワークのノードをエミュレートする手法の一例を示した図である。
【図６】ノードＩＤ対応表の一例を示した図である。
【図７】ノードＩＤの変化を外部ネットワークに伝える処理のシーケンス図である。
【図８】トポロジー構成の変化を外部ネットワークに伝える処理のシーケンス図である。
【図９】図８の続きのトポロジー構成の変化を外部ネットワークに伝える処理のシーケンス図である。
【符号の説明】
Ｎ  ネットワーク全体
ｎ  １３９４ネットワーク（情報機器ネットワーク）
ｎ１  第１の１３９４ネットワーク
ｎ２  第２の１３９４ネットワーク
１０  情報機器（１３９４機器）
１１ｎ１  第１の１３９４ネットワークｎ１の第１の１３９４機器
１２ｎ１  第１の１３９４ネットワークｎ１の第２の１３９４機器
１３ｎ２  第２の１３９４ネットワークｎ２の第３の１３９４機器
２０  通信端末
２１  無線Ｉ／Ｆ部
２２  判定部
２３  自ネットワーク情報管理部
２４  外部ネットワーク情報管理部
２５  エミュレーション部
２６  １３９４Ｉ／Ｆ部
３０  １３９４バス
４０  無線ネットワーク
６０  自ネットワーク情報
６１  ネットワークＩＤ
６２  トポロジー構成の情報
６３  自ネットワークの１３９４機器１０の情報
６３ｎ１−ｍ  個別機器情報
６３ｎ１−ｍ１    実ノードＩＤ
６３ｎ１−ｍ２    前の実ノードＩＤ
６３ｎ１−ｍ３    ＣｏｎｆｉｇＲＯＭ
７０  外部ネットワーク情報
８０  自ネットワーク変化情報
【図１】
2004282501.tif 000004
【図２】
2004282501.tif 000005
【図３】
2004282501.tif 000006
【図４】
2004282501.tif 000007
【図５】
2004282501.tif 000008
【図６】
2004282501.tif 000009
【図７】
2004282501.tif 000010
【図８】
2004282501.tif 000011
【図９】
2004282501.tif 000012